(57)【要約】【課題】周囲の音に応じて、ユーザに不快感を与えないように再生の制御を行いうるデジタルフォトフレームを提供する。【解決手段】ディスプレイを備えるデジタルフォトフレーム１であって、データを記憶する記憶部１２と、周囲の音量を検出する検出部１３と、前記データを再生する場合に、前記検出部の検出結果に応じた所定の再生制御を行う制御部１３とを備える。【選択図】図２
2010026142.tif 000002
【特許請求の範囲】
【請求項１】
ディスプレイを備えるデジタルフォトフレームであって、
データを記憶する記憶部と、
周囲の音量を検出する検出部と、
前記データを再生する場合に、前記検出部の検出結果に応じた所定の再生制御を行う制御部と
を備えることを特徴とするデジタルフォトフレーム。
【請求項２】
前記検出部は、前記周囲の音量が第１閾値以上であるか否か検出し、又は、前記周囲の音量が第２閾値以下である無音時間が一定時間以上であるか否かを検出することを特徴とする請求項１記載のデジタルフォトフレーム。
【請求項３】
前記データに含まれる音声データを出力するスピーカを備え、
前記所定の再生制御は、前記音声データの再生を停止する、又は、前記スピーカの音量を下げる制御であることを特徴とする請求項１又は２に記載のデジタルフォトフレーム。
【請求項４】
前記所定の再生制御は、前記データに含まれる画像データを順次切り替えてスライドショー形式で前記ディスプレイに再生表示する場合の前記画像データの切り替え効果の制御であること特徴とする請求項１〜３の何れか一項に記載のデジタルフォトフレーム。
【請求項５】
前記所定の再生制御は、前記データに含まれる画像データを順次切り替えてスライドショー形式で前記ディスプレイに再生表示する場合の前記画像データの切り替え間隔を長くする制御であることを特徴とする請求項１〜４の何れか一項に記載のデジタルフォトフレーム。
【請求項６】
前記所定の再生制御は、前記データに含まれる画像データを再生表示する際に前記ディスプレイの輝度を下げる制御であることを特徴とする請求項１〜５の何れか一項に記載のデジタルフォトフレーム。
【発明の詳細な説明】
【技術分野】
【０００１】
本発明は、デジタルフォトフレームに関するものである。
【背景技術】
【０００２】
観賞用画像を電気的に表示する表示部を備えたデジタルフォトフレームが知られている(例えば、特許文献１参照)。
【特許文献１】特開２００１−６７００４号公報
【発明の開示】
【発明が解決しようとする課題】
【０００３】
ところで、デジタルフォトフレームとテレビ等のオーディオ機器が同一の部屋に設置されることがある。このような場合、テレビ等のオーディオ機器の音声とデジタルフォトフレームの音声が同時に出力されると、ユーザにとって耳ざわりであり、また、テレビ等の画像を見ているユーザの視界にデジタルフォトフレームのスライドショーの画像が入ると目ざわりである。
【０００４】
本発明の目的は、周囲の音に応じてユーザに不快感を与えないように再生の制御を行いうるデジタルフォトフレームを提供することである。
【課題を解決するための手段】
【０００５】
本発明のデジタルフォトフレームは、ディスプレイを備えるデジタルフォトフレームであって、データを記憶する記憶部と、周囲の音量を検出する検出部と、前記データを再生する場合に、前記検出部の検出結果に応じた所定の再生制御を行う制御部とを備える。
【発明の効果】
【０００６】
本発明のデジタルフォトフレームによれば、周囲の音に応じて再生の制御を行うことができる。
【発明を実施するための最良の形態】
【０００７】
以下、図面を参照して、本発明の実施形態に係るデジタルフォトフレーム（以下、ＤＰＦという。）について説明する。なお、一般に、ＤＰＦとしては机等の上に立て掛けて設置するものや、壁に掛けて設置するもの等が存在するが、本実施形態では、机等に立て掛けて設置するもの(電子写真立て)を例にして説明する。
【０００８】
図１は、実施形態に係るＤＰＦの外観を示す斜視図である。ＤＰＦ１は、ガラスやプラスチック等からなり、ＤＰＦ１の前面１Ａには、静止画、動画、時刻の情報等の画像を電気的に表示するディスプレイ６と、音楽や音声等の音を出力するスピーカ７と、周囲の音を取得するマイク４が設けられている。また、ＤＰＦ１の上面１Ｂには、ＤＰＦ１の電源のオン／オフを切り換える電源スイッチ２と、ＤＰＦ１の各種機能を設定する際に用いる操作キー３が設けられている。また、ＤＰＦ１の側面１Ｃには、画像や音楽等のデータが記憶されたＳＤカードとＣＦカードの各々を挿入するＳＤカードスロット８及びＣＦカードスロット９、ＵＳＢ機器を接続するＵＳＢポート１０が設けられている。
【０００９】
図２は、本実施形態に係るＤＰＦ１のシステム構成を示すブロック図である。ＤＰＦ１は、電源スイッチ２、操作キー３、マイク４、ディスプレイ６、スピーカ７、ＳＤカードスロット８、ＣＦカードスロット９、ＵＳＢポート１０、リモコン信号検出部５、ＲＯＭ／ＲＡＭ１１、内部メモリ１２、及びＣＰＵ１３を含んで構成されている。尚、電源スイッチ２、操作キー３、マイク４、ディスプレイ６、スピーカ７、ＳＤカードスロット８、ＣＦカードスロット９、ＵＳＢポート１０については、上述した図１の説明と同様であり説明を省略する。
【００１０】
リモコン信号検出部５は、ＤＰＦ１を操作するための図示しないリモコンから赤外線のリモコン信号を受信し、ユーザからの指示を受付ける。内部メモリ１２は、画像データ、音楽や音声等を含む音声データ、スライドショー形式で画像データを再生する際にＢＧＭとして再生する音楽の情報等を記憶している。
【００１１】
ここで、図３は、内部メモリ１２に記憶されているユーザ設定情報の例を示している。本実施形態では、スピーカ７の音量が低い順に１〜３の音量レベルを設定可能であり、また、スライドショー形式で画像データを再生する際の画像の切替間隔を秒単位で設定することができる。また、スライドショー形式での画像データの再生と同時に音楽等の音声データをＢＧＭとして再生することができ、内部メモリ１２等に予め記憶された音楽等の音声データをＢＧＭとして設定できる。この例では、スピーカ７の音量レベル“２”、スライドショーの画像切替間隔“５ｓ”、スライドショー形式で画像を再生する際のＢＧＭに“音楽１”の音声データが予め設定されているものとする。
【００１２】
ＲＯＭ／ＲＡＭ１１は、ＣＰＵ１３が実行するプログラムをＲＯＭに記憶し、ＣＰＵ１３が各プログラムの実行時に一時的に記憶するデータをＲＡＭに記憶する。ＣＰＵ１３は、ＲＯＭに記憶されたプログラムを実行することによりＤＰＦ１を構成する各部を制御する。特に、本実施形態では、ＣＰＵ１３は、電源がＯＮに設定された時から単位時間毎にマイク４により取得された音量の検出を行い、一定時間内において周囲音が第１閾値以上となることがあれば、スピーカ７の音量とスライドショーの画像切替間隔を周囲の音量に基づいて制御する音量／表示制御モードに移行する。
【００１３】
以下、本実施形態に係るＤＰＦ１の動作について説明する。図４は、音量／表示制御モードへの移行を判断する処理を示すフローチャートである。ＣＰＵ１３は、リモコン信号検出部５により図示しないリモコンから電源ＯＮの指示のリモコン信号を受付けて電源をＯＮに設定する(ステップＳ１１)。ＣＰＵ１３は、単位時間Δｔ毎に一定時間Ｔにおける周囲音をマイク４により取得する(ステップＳ１２)。ここで、図５は、マイク４により取得した周囲音の音量の例を示している。同図に示すように、横軸を時間、縦軸を音量とし、一定時間Ｔにおける単位時間Δｔ毎の各音量をｖ１〜ｖ２２で示し、第１閾値“Ｖｔｈ”を破線３０で示している。
【００１４】
ＣＰＵ１３は、マイク４により取得した一定時間Ｔにおける各単位時間Δｔの音量のうち、第１閾値Ｖｔｈ以上の音量があるか否か判断する(ステップ１３)。ＣＰＵ１３は、ステップＳ１３において、第１閾値Ｖｔｈ以上の音量があると判断した場合に(ステップＳ１３:Ｙ)、ＤＰＦ１の近くに設置されているテレビ等のオーディオ機器から音声が出力されていると判断して音量／表示制御モードに移行し、内部メモリ１２から図３に示すユーザ設定情報を読み出す。そして、設定されているスピーカ７の音量レベル“２”より音量を小さくする音量レベル“１”と、設定されているスライドショーの画像切替間隔“５ｓ”より長い画像切替間隔“２０ｓ”を音量／表示制御モード用の制御情報としてＲＡＭに記憶する(ステップＳ１４)。
【００１５】
尚、ステップＳ１３において、ＣＰＵ１３は、ステップＳ１２において検出した一定時間Ｔにおける各単位時間Δｔの音量のうち、第１閾値Ｖｔｈ以上の音量がないと判断した場合には(ステップＳ１３：Ｎ)、処理を終了する。
【００１６】
また、音量／表示制御モードに移行して画像データや音声データを再生する場合には、その再生が終了するまでは音量／表示制御モードの状態を継続し、その再生が終了した時に音量／表示制御モードを終了するものとする。
【００１７】
次に、図３に示すユーザ設定情報で設定されたＢＧＭの音楽と共にスライドショー形式で画像を再生する場合の動作について図６のフローチャートを用いて説明する。尚、図６のフローチャートでは、内部メモリ１２に記憶されている画像データと音声データを再生するものとする。
【００１８】
ＣＰＵ１３は、スライドショー形式での画像再生指示のリモコン信号をリモコン信号検出部５により受付けると (ステップＳ２１)、内部メモリ１２に記憶されているユーザ設定情報を読み出す(ステップＳ２２)。そして、ＣＰＵ１３は、内部メモリ１２に記憶されている画像データを順次読み出すと共に、ユーザ設定情報で設定されているＢＧＭ“音楽１”に対応する音声データを内部メモリ１２から読み出す(ステップＳ２３)。
【００１９】
ＣＰＵ１３は、音量／表示制御モードに移行している場合には(ステップＳ２４:Ｙ)、ＲＡＭから音量／表示制御モード用の制御情報を読み出し、読み出した音声データを音量レベル“１”でスピーカ７から出力すると共に、読み出した一連の画像データを画像切替間隔“２０ｓ”で順次切り替えてディスプレイ６に表示する(ステップＳ２５)。また、ＣＰＵ１３は、音量／表示制御モードに移行していない場合には(ステップＳ２４:Ｎ)、内部メモリ１２からユーザ設定情報を読み出し、読み出した音声データを音量レベル“２”でスピーカ７から出力すると共に、読み出した一連の画像データを画像切替間隔“５ｓ”で順次切り替えてディスプレイ６に表示する(ステップＳ２６)。
【００２０】
上述した実施形態では、単位時間毎に検出した一定時間の周囲音の音量のうち第１閾値以上の音量があれば、ＤＰＦ１の周囲に設置されたテレビ等から音声が出力されているものと判断し、ＤＰＦ１の音量を小さくする。従って、テレビ等を視聴しているユーザに不快感を与えないようにすることができる。また、スライドショーの画像切替間隔を通常の設定間隔より長くして再生することができるため、ユーザの視界にテレビの画像とＤＰＦ１の画像が入ってきたとしても、テレビの画像が切り替わる動作に比べてＤＰＦ１の画像が切り替わる動作が遅いので、ＤＰＦ１の画像の切り替わり動作がテレビ等を見ているユーザに与える影響は少なく、ユーザの不快感を軽減することができる。
【００２１】
次に、上述した実施形態の変形例について説明する。本変形例は、上述した実施形態と同様、周囲音の音量に応じて音量／表示制御モードに移行するが、本変形例では、周囲音の音量が第２閾値以下である無音時間に応じて音量／表示制御モードに移行する。
【００２２】
以下、本変形例に係るＤＰＦの動作について説明する。尚、本変形例は、上述した実施形態と同じＤＰＦを用いるため、実施形態と同一の構成については同一の符号を用いて説明する。また、実施形態において説明したものについては説明を省略する。
【００２３】
図７は、本変形例に係るＤＰＦ１の音量／表示制御モードへの移行を判断する処理を示すフローチャートである。ＣＰＵ１３は、リモコン信号検出部５により図示しないリモコンからの電源ＯＮを指示するリモコン信号を受付けて、電源をＯＮに設定する(ステップＳ３１)。ＣＰＵ１３は、単位時間毎に一定時間Ｔにおける周囲音をマイク４により取得する(ステップＳ３２)。
【００２４】
ここで、図８は、上述した実施形態の図５と同様、マイク４で取得した周囲音の音量の例を示している。同図に示すように、一定時間Ｔにおける単位時間Δｔ毎の各音量はｖ１〜ｖ２２であり、破線４０は第２閾値“Ｖｔｈｌｏｗ”を示している。また、同図において、音量が第２閾値“Ｖｔｈｌｏｗ”以下である無音時間は、音量がｖ４〜ｖ７のｔ１期間、音量がｖ１２のｔ２期間、音量がｖ１４〜ｖ１５ｂのｔ３期間、音量がｖ２０〜ｖ２１のｔ４期間である。
【００２５】
ＣＰＵ１３は、図８に示す一定時間Ｔにおける各無音時間(ｔ１、ｔ２、ｔ３、ｔ４)の継続時間が、いずれも閾値時間Ｔｔｈ以下の長さであるか否か判断する(ステップＳ３３)。
【００２６】
ＣＰＵ１３は、ステップＳ３３において、各無音時間がいずれも閾値時間Ｔｔｈ以下の長さであると判断した場合には(ステップＳ３３:Ｙ)、内部メモリ１２からユーザ設定情報を読み出し、実施形態と同様、音量／表示制御モード用の制御情報として、音量レベル“１”とスライドショーの画像切替間隔“２０ｓ”をＲＡＭに一時記憶し、音量／表示制御モードに移行する(ステップＳ３４)。また、ＣＰＵ１３は、ステップＳ３３において、各無音時間のうち、一定の閾値時間Ｔｔｈ以上の無音時間があると判断した場合には(ステップＳ３３:Ｎ)、処理を終了する。
【００２７】
尚、音量／表示制御モードに移行して画像データや音声データを再生する場合には、その再生が終了するまでは音量／表示制御モードの状態を継続し、その再生が終了した時に音量／表示制御モードを終了する。また、ユーザ設定情報で設定されたＢＧＭの音楽と共に画像データをスライドショー形式で再生する場合の動作は、上述した実施形態の図６と同様であるため説明を省略する。
【００２８】
上述した変形例では、一定時間の周囲音の音量のうち各無音時間がいずれも閾値時間以上でなければ、ＤＰＦ１以外のテレビ等の機器から継続的に音声が出力されていると判断し、閾値時間以上の無音時間があれば、検出した音声がテレビ等のオーディオ機器からのものではなく、断続的に音声が発せられる会話等によるものであると判断することができるので、ＤＰＦ１の周囲の状況を、検出した無音時間から容易に判断することができる。
【００２９】
尚、上述した実施形態では、一定時間Ｔにおいて検出した各単位時間Δｔの音量に第１閾値以上の音量が含まれていれば音量／表示制御モードに移行するものとしたが、一定時間Ｔにおいて検出した各音量の平均値が第１閾値以上である場合、又は、一定時間Ｔにおいて検出した各音量のうち第１閾値以上の音量が所定回数以上出現する場合に音量／表示制御モードに移行するようにしてもよい。
【００３０】
また、上述した変形例では、一定時間Ｔにおいて検出した各無音時間のいずれもが閾値時間Ｔｔｈ以下であれば音量／表示制御モードに移行するものとして説明したが、例えば、図８の例において、一定時間Ｔにおける無音時間ｔ１〜ｔ４を合計した合計無音時間と、無音時間の出現回数“４”に閾値時間Ｔｔｈを乗算した合計閾値時間とを比較し、合計無音時間が合計閾値時間より小さい場合には、音量／表示制御モードに移行するようにしてもよい。
【００３１】
また、上述した実施形態及び変形例では、ＤＰＦ１の電源がＯＮに設定された後、画像データや音声データの再生開始前に周囲音の検出を行い、音量／表示制御モードの移行の判断を行うものとして説明したが、画像データや音声データの再生指示と同時、又は、再生中に周囲音の検出及び音量／表示制御モードの移行判断処理を行うようにしてもよい。尚、上記の音量／表示制御モードの移行判断を行う際に音声データの再生を伴う場合には、ＤＰＦ１が発する音量を考慮した閾値を設定する、又は検出した音量からＤＰＦ１の音量を除いた音量について音量／表示制御モードの移行判断を行うようにする。
【００３２】
また、上述した実施形態及び変形例では、音量／表示制御モードに移行して画像データや音声データを再生している場合には、その再生が終了するまで音量／表示制御モードを終了しないようにしたが、以下のようにしてもよい。即ち、音量／表示制御モードに移行している間、音量／表示制御モードである旨の情報をディスプレイ６に表示、又はＬＥＤの点灯等によりユーザに報知するようにしてもよい。また、音量／表示制御モードに移行中に、音量／表示制御モードを停止する指示をユーザから受付けるようにしてもよいし、音量／表示制御モードの制御を行うか否かの選択を予めユーザが設定できるようにしてもよい。
【００３３】
また、上述した実施形態では、音量／表示制御モードの移行時に、ユーザ設定情報の音量レベルより音量を小さくする音量制御を行うものとして説明したが、音声データを再生する際に音声データの出力を停止する音量制御を行うようにしてもよい。
【００３４】
また、上述した実施形態では、音量／表示制御モードの移行時に、スライドショー形式で画像データを再生する場合には、ユーザ設定情報のスライドショーの画像切替間隔より切替間隔を長くする表示制御を行うものとして説明したが、画像を切り替える際の画像切替効果を制御するようにしてもよい。画像切替効果とは、画像の切り替え時に、所定の動き等を画像に加えて画像の切り替えを演出するものである。従って、例えば、音量／表示制御モードに移行してスライドショー形式で画像データを再生する場合、画像切替効果の制御として、各画像切替効果に設定されている所定の動きの速さを遅くしたり、画像切替効果全体として動きの遅いものに変更したりする等、画像の切り替えを通常設定されているものより遅くするようにしてもよい。
【００３５】
また、上述した実施形態では、音量／表示制御モードに移行した際の表示制御として、スライドショーの画像切替間隔を長くするよう制御するものとして説明したが、ディスプレイ６の輝度を既定の輝度より低くするように制御してもよい。
【００３６】
また、上述した実施形態及び変形例では、音量／表示制御モードの移行判断を行う際に、ユーザ設定情報に基づいて音量／表示制御モード用の制御情報を設定するものとして説明したが、上述した音量制御や表示制御を示す音量／表示制御モード用の制御情報を予めＲＯＭや内部メモリ等に記憶するようにしてもよい。
【００３７】
また、上述した実施形態では、音量／表示制御モードに移行した際には、音量レベルを小さくする音量制御とスライドショーの画像切替間隔を長くする表示制御を行うものとして説明したが、上述した音声データの出力を停止する音量制御、上述したスライドショーの切替効果を変える表示制御、ディスプレイの輝度レベルを下げる表示制御を組合わせてもよいし、上述した音量制御と表示制御のいずれか一方を行うようにしてもよい。
【００３８】
また、上述した実施形態及び変形例では、画像データをスライドショー形式で再生すると共に、スライドショーのＢＧＭとして音楽を再生する場合について説明したが、例えば、音楽等の音声データのみの再生、画像データのみの再生、動画データと動画データに含まれる音声データの再生、画像データと画像データに付加されている音声メモの再生を行う場合も、音声／表示制御モードに移行した際は、音声データの再生時に上記音量制御を行い、スライドショー形式での画像再生時に上記表示制御を行うようにする。
【００３９】
また、上述した実施形態では、図１に示すＤＳＰ１の前面１Ａの下部にマイク４を設けるものとして説明したが、マイク４の配置はこれに限らず、例えば、ＤＳＰ１の前面１Ａの上部、背面、側面のいずれかにモノラルマイク又はステレオマイクを設けてもよいし、ＤＳＰ１の側面又は背面の左右にモノラルマイクを１個ずつ設けるようにしてもよい。
【図面の簡単な説明】
【００４０】
【図１】実施形態に係るＤＰＦの外観を示す斜視図である。
【図２】実施形態に係るＤＰＦのシステム構成を示すブロック図である。
【図３】実施形態におけるユーザ設定情報の例を示す図である。
【図４】実施形態に係るＤＰＦの音量／表示制御モードの移行判断処理を示すフローチャートである。
【図５】実施形態における周囲音の音量と第１閾値の例を示す図である。
【図６】実施形態に係るＤＰＦの画像データ及び音声データの再生処理を示すフローチャートである。
【図７】実施形態の変形例に係るＤＰＦの音量／表示制御モードの移行判断処理を示すフローチャートである。
【図８】実施形態の変形例における周囲音の音量と第２閾値の例を示す図である。
【符号の説明】
【００４１】
１…デジタルフォトフレーム（ＤＰＦ）、２・・・電源スイッチ、３…操作キー、４…マイク、５…リモコン信号検出部、６…ディスプレイ、７…スピーカ、８…ＳＤカードスロット、９…ＣＦカードスロット、１０…ＵＳＢポート、１１…ＲＯＭ／ＲＡＭ、１２…内部メモリ、１３…ＣＰＵ
【図１】
2010026142.tif 000003
【図２】
2010026142.tif 000004
【図３】
2010026142.tif 000005
【図４】
2010026142.tif 000006
【図５】
2010026142.tif 000007
【図６】
2010026142.tif 000008
【図７】
2010026142.tif 000009
【図８】
2010026142.tif 000010